(57)【特許請求の範囲】
【請求項１】
封筒上紙と封筒下紙とからなり、一辺を開口してなる、一辺開口型の封筒であって、前記封筒上紙の表出面を宛名表示面とし、開口端に沿った前記封筒上紙と前記封筒下紙の対向面は、粘着剤と剥離剤とを相対的に対向設置して剥離可能に接着し、粘着剤を設けた封筒紙の粘着剤設置部分で封緘片を形成する一方、剥離剤を設けた封筒紙には、剥離剤設置部分の内側に切り取り部を設けるとともに、この切り取り部の少なくとも一部に封筒内に封入物を挿入するための挿入口を形成し、封緘片の内側に沿って折り部を設けたことを特徴とする封筒。
【請求項２】
封筒上紙と封筒下紙とからなり、一辺を開口してなる、一辺開口型の封筒であって、前記封筒上紙の表出面を宛名表示面とし、開口端に沿った前記封筒上紙と前記封筒下紙の対向面は、粘着剤と剥離剤とを相対的に対向設置して剥離可能に接着し、粘着剤を設けた封筒紙の粘着剤設置部分で封緘片を形成する一方、剥離剤を設けた封筒紙には、剥離剤設置部分の内側に切り取り部を設けるとともに、この切り取り部の少なくとも一部に封筒内に封入物を挿入するための挿入口を形成し、前記封筒上紙または前記封筒下紙のいずれか一方の開口端には、切り取り部を介して申込書を連接し、封緘片の内側に沿って折り部を設けたことを特徴とする封筒。
【発明の詳細な説明】
【０００１】
【発明の属する技術分野】
本発明は、封筒に関し、特に、封筒上紙と封筒下紙とからなり、一辺を開口してなる、一辺開口型の封筒に関する。
【０００２】
【従来の技術】
従来、一辺開口型の封筒は、第１に、図１１に示すように、封筒１０１の封筒上紙１０２の開口端を、封筒下紙１０３の開口端よりも延出して封緘片１０２ａを形成し、封緘片１０２ａの裏面側に粘着剤１０４を設けるとともに、剥離紙１０５で被覆した構成と、第２に、図１２に示すように、封筒２０１の封筒上紙２０２の開口端に沿って形成した封緘片２０２ａの裏面側に粘着剤２０４を設ける一方、封筒下紙２０３の開口端には切り用ミシン目２０６を介して前記封緘片２０２ａに対応するよう延出した切り取り片２０７を設け、この切り取り片２０７の粘着剤２０４対向面に剥離剤２０５を設けて剥離可能に接着した構成が知られている。
【０００３】
そして、上述の第１の構成では、封筒１０１内に開口部分から封入物（図示せず）を挿入した後、剥離紙１０５を剥離して粘着剤１０４を露出し、封緘片１０２ａを封筒下紙１０３に折り返して粘着剤１０４で接着することにより、封緘するものである。また、上述の第２の構成では、封緘片２０２ａと切り取り片２０７とを剥離して開口したうえ、この開口部分から封筒２０１内へ封入物（図示せず）を挿入し、切り用ミシン目２０６を破断して切り取り片２０７を切り取った後、封緘片２０２ａを封筒下紙２０３に折り返して粘着剤２０４で接着することにより、封緘するものである。
【０００４】
【発明が解決しようとする課題】
しかしながら、従来の第１の構成によると、封緘片１０２ａに対応する部分が封筒下紙１０３には存在しないので段差を生じて取扱が不便であるほか、この封筒下紙１０３の開口端に申込書等を連接した場合には、剥離紙１０５があるので厚みが一定せず取扱が不便であるとともに、封緘片１０２ａに対応する封筒下紙１０３の連接部分は申込書等としては有効に使用できない無駄な部分になってしまうという不都合があった。また、従来の第２の構成によると、封入物の挿入時に、開口部分に粘着剤が露出するので、この粘着剤に封入物が触れないよう挿入するのは容易ではないという不都合があった。本発明はこれらの不都合を解消した封筒を提供することを目的とする。
【０００５】
【課題を解決するための手段】
上述した目的を達成するために、本発明の請求項１に記載した封筒は、封筒上紙と封筒下紙とからなり、一辺を開口してなる、一辺開口型の封筒であって、前記封筒上紙の表出面は宛名表示面とし、開口端に沿った前記封筒上紙と前記封筒下紙の対向面は、粘着剤と剥離剤とを相対的に対向設置して剥離可能に接着し、粘着剤を設けた封筒紙、例えば封筒上紙の粘着剤設置部分で封緘片を形成する一方、剥離剤を設けた封筒紙、例えば封筒下紙には、剥離剤設置部分の内側に切り用ミシン目やスリット等の切り取り部を設けるとともに、この切り取り部の少なくとも一部に封筒内に封入物を挿入するためのスリット等による挿入口を形成し、封緘片の内側に沿って折り部を設けたものである。
【０００６】
また、本発明の請求項２に記載した封筒は、封筒上紙と封筒下紙とからなり、一辺を開口してなる、一辺開口型の封筒であって、前記封筒上紙の表出面は宛名表示面となし、開口端に沿った前記封筒上紙と前記封筒下紙の対向面は、粘着剤と剥離剤とを相対的に対向設置して剥離可能に接着し、粘着剤を設けた封筒紙、例えば封筒上紙の粘着剤設置部分で封緘片を形成する一方、剥離剤を設けた封筒紙、例えば封筒下紙には、剥離剤設置部分の内側に切り用ミシン目等の切り取り部を設けるとともに、この切り取り部の少なくとも一部に封筒内に封入物を挿入するためのスリット等による挿入口を形成し、前記封筒上紙または前記封筒下紙のいずれか一方の開口端には、切り用ミシン目等の切り取り部を介して申込書を連接し、封緘片の内側に沿って折り部を設けたものである。
【０００７】
【発明の実施形態】
以下、本発明の好適な実施形態を添付図面の図１〜図１０に基づき詳細に説明する。ここにおいて、図１〜図５は第１の実施形態を示し、図１は宛名情報を表示した封筒の表側を示す概略的な斜視図、図２は差出人情報を表示した封筒の裏側を示す概略的な斜視図、図３は図１のＡ−Ａ線断面図、図４は封入物を封筒内に挿入する状態を示す概略的な斜視図、図５は封筒の封緘状態を示す概略的な断面図、図６〜図１０は第２の実施形態を示し、図６は申込書を連接した封筒の裏側を示す概略的な斜視図、図７は宛名情報を表示し説明書を連接した封筒の表側を示す概略的な斜視図、図８は図６のＢ−Ｂ線断面図、図９は切り取った申込書を封筒内に挿入する状態を示す概略的な斜視図、図１０は封筒の封緘状態を示す概略的な断面図である。
【０００８】
まず、第１の実施形態を図１〜図５に基づいて説明する。図１〜図３に示すように、封筒１は、封筒上紙２と封筒下紙３の三辺を糊１３で綴じ合わせ、一辺を開口してなる一辺開口型の封筒である。開口端に沿った前記封筒上紙２と前記封筒下紙３の対向面には、前記封筒上紙２側に粘着剤４を設け、前記封筒下紙３側に剥離剤５を設けて、前記対向面を剥離可能に接着している。また、封筒上紙２の表出面である宛名表示面２ａには宛名表示１０を設ける一方、封筒下紙３の表出面には差出人表示１１を設けている。
【０００９】
封筒上紙２の粘着剤４設置部分で封緘片６を形成し、この封緘片６の内側の境界部分に折り部たる折り用ミシン目７を設けている。さらに、封筒下紙３の剥離剤５設置部分の内側に、切り取り部たる切り用ミシン目９ａを設け、この切り用ミシン目９ａの上下端を除く中央部分はスリット９として、このスリット９部分で封筒１内に封入物を挿入するための挿入口を形成している。前記スリット９を含む切り用ミシン目９ａ部分の外側で前記封緘片６に対向する切り取り片８を形成し、前記切り用ミシン目９ａを破断することで、前記切り取り片８を切り取り可能に構成している。
【００１０】
本実施形態は上述のように構成したので、図４に示すように、案内状や招待状等の所望の封入物１２を、スリット９で形成される挿入口から封筒１内に挿入することができる。このとき、粘着剤４は切り取り片８により被覆されているので、封入物１２に付着することはなく、円滑かつ容易に挿入できる。次いで、切り用ミシン目９ａを破断し、切り取り片８を封緘片６から剥離して切り取る。そして、図５に示すように、前記封緘片６を折り用ミシン目７で封筒下紙３に折り重ね、粘着剤４で接着することにより封緘して、投函可能となる。一方、この封筒１の受領者は、一般の封筒と同様に、封緘片６を剥がしたり、封緘片６部分を切り取ることで開封し、封入物１２を取り出すことができる。
【００１１】
続いて、第２の実施形態を図６〜図１０に基づいて説明する。本実施形態は、カード会社に申込書を送付するための封筒に関し、金融機関のＡＴＭコーナーやコンビニエンスストア等に置かれ、利用者が適宜持ち帰って使用するものである。図６〜図８に示すように、封筒２１は、封筒上紙２２と封筒下紙２３の三辺を糊３９で綴じ合わせ、一辺を開口してなる一辺開口型の封筒である。開口端に沿った前記封筒上紙２２と前記封筒下紙２３の対向面には、前記封筒上紙２２側に粘着剤２４を設け、前記封筒下紙２３側に剥離剤２５を設けて、前記対向面を剥離可能に接着している。また、封筒上紙２２の表出面である宛名表示面２２ａにはカード会社の住所、名称からなる宛名表示３０を設ける一方、差出人は不定なので、封筒下紙２３の表出面には差出人表示は設けていない。
【００１２】
封筒上紙２２の粘着剤２４設置部分で封緘片２６を形成し、この封緘片２６の内側の境界部分に折り部たる折り用ミシン目２７を設けている。さらに、封筒下紙２３の剥離剤２５設置部分の内側に、切り取り部たる切り用ミシン目２９ａを設け、この切り用ミシン目２９ａの上下端を除く中央部分はスリット２９として、このスリット２９を封筒２１内に封入物を挿入するための挿入口としている。前記スリット２９を含む切り用ミシン目２９ａ部分の外側で前記封緘片２６に対向する切り取り片２８を形成し、前記切り用ミシン目２９ａを破断することで、前記切り取り片２８を切り取り可能に構成している。
【００１３】
図６及び図８に示すように、封筒下紙２３の開口端である切り取り片２８の切り用ミシン目２９ａと反対側には、切り取り部たる切り用ミシン目３１を介して申込書３２を連接している。この申込書３２は、「○×カード申込書」なる表題３３の下に、申込情報記入欄３４，３５，３６を設けている。一方、図７及び図８に示すように、封筒上紙２２の開口端である封緘片２６の切り用ミシン目２７と反対側には、切り取り部たる切り用ミシン目３７を介して説明書３８を連接している。この説明書３８は、カードの使用方法や支払の決済に関する説明や、前記申込書３２への記入方法の説明等の各種の説明文３９が表示されている。
【００１４】
本実施形態は上述のように構成したので、申込書３２及び説明書３８を各切り用ミシン目３１，３７から切り取って、前記申込書３２に所定の事項を記入した後、前記申込書３２を、図９に示すように、スリット２９で形成される挿入口から封筒２１内に挿入することができる。このとき、粘着剤２４は切り取り片２８により被覆されているので、前記申込書３２に付着することはなく、円滑かつ容易に挿入できる。
【００１５】
次いで、切り用ミシン目２９ａを破断し、切り取り片２８を封緘片２６から剥離して切り取る。そして、図１０に示すように、前記封緘片２６を折り用ミシン目２７で封筒下紙２３に折り重ね、粘着剤２４で接着することにより封緘したうえ、カード申込者が差出人表示を記載して、投函可能となる。一方、この封筒２１の受領者であるカード会社は、一般の封筒と同様に、封緘片２６を剥がしたり、封緘片２６部分を切り取ることで開封し、申込書３２を取り出すことができる。
【００１６】
なお、本発明は上述した各実施形態に限定されるものではなく、例えば、一部をスリット９，２９で形成した切り用ミシン目９ａ，２９ａからなる各切り取り部は、切り取り部全体をスリット９，２９で構成してもよい。また、封筒上紙２，２２と封筒下紙３，２３は、別体の２枚の紙片ではなく、１枚の紙片を折り重ねて構成してもよい。
【００１７】
また、第２の実施形態においては、申込書３２を封筒上紙２２に連接してもよく、さらに、説明書３８は必ずしも設けなくてもよい。またさらに、申込書３２及び説明書３８を封筒２１の幅の約３倍程度の長さに構成し、前記封筒２１を申込書３２側に巻き込むように折り畳んだ時に、表出する説明書３８の一面に宛名記載部を設ける一方、他面に差出人記載部を設けて、前記説明書３８の端部に切り取り可能な封緘部を設けることにより巻き込み型の封筒とし、前記封筒２１を返信用封筒として使用することも可能である。また、申込書３２はカードの申込用のほか、会員制クラブの申込等各種の用途に適用可能である。
【００１８】
【発明の効果】
以上説明したところで明らかなように、本願の請求項１の発明によれば、封筒に段差がないので取扱が容易であり、封入物の挿入時に封緘片に設けた粘着剤が露出せず、あらかじめ設けた挿入口を利用できるので、挿入作業を容易かつ確実になしうるとともに、封緘片の折り動作を容易に行うことができるという効果を奏する。
【００１９】
また、本願の請求項２の発明によれば、上述した請求項１の発明の効果に加えて、申込書を封筒に封入して容易に申込を行うことができるという効果を奏する。
【図面の簡単な説明】
【図１】  宛名情報を表示した封筒の表側を示す概略的な斜視図。
【図２】  差出人情報を表示した封筒の裏側を示す概略的な斜視図。
【図３】  図１のＡ−Ａ線断面図。
【図４】  封入物を封筒内に挿入する状態を示す概略的な斜視図。
【図５】  封筒の封緘状態を示す概略的な断面図。
【図６】  別の実施形態を示す申込書を連接した封筒の裏側の概略的な斜視図。
【図７】  同じく宛名情報を表示し説明書を連接した封筒の表側の概略的な斜視図。
【図８】  同じく図６のＢ−Ｂ線断面図。
【図９】  同じく切り取った申込書を封筒内に挿入する状態を示す概略的な斜視図。
【図１０】  同じく封筒の封緘状態を示す概略的な断面図。
【図１１】  従来の封筒の一例を示す断面図。
【図１２】  従来の封筒の他の例を示す断面図。
【符号の説明】
１，２１      封筒
２，２２      封筒上紙
２ａ，２２ａ      宛名表示面
３，２３      封筒下紙
４，２４      粘着剤
５，２５      剥離剤
６，２６      封緘片
７，２７      折り用ミシン目
９，２９      スリット
９ａ，２９ａ      切り用ミシン目
１０，３０      宛名表示
１１      差出人表示
１２      封入物
３１，３７      切り用ミシン目
３２      申込書
３８      説明書
【図１】
0003712304.tif 000002
【図２】
0003712304.tif 000003
【図３】
0003712304.tif 000004
【図４】
0003712304.tif 000005
【図５】
0003712304.tif 000006
【図６】
0003712304.tif 000007
【図７】
0003712304.tif 000008
【図８】
0003712304.tif 000009
【図９】
0003712304.tif 000010
【図１０】
0003712304.tif 000011
【図１１】
0003712304.tif 000012
【図１２】
0003712304.tif 000013